(57)【特許請求の範囲】
【請求項１】
環状に編成した第１の穿口開口縁に続いて適宜コース数を環状に編成してなる第１のリング部の編み終りのコースの一部ウエールに接して爪先部ポケットを配し、該爪先部ポケットの最終コースと前記第１のリング部の編み終りコースの残余のウエールとに続く環状の適宜コース数よりなる環状編地部を設け、環状編地部の編み終りコースの前記爪先部ポケットの反対側に該爪先部ポケットと１８０°位相をずらせて環状編地部の編み終りコースの一部ウエールと連なる踵部ポケットを設け、踵部ポケットの最終コースと前記環状編地部の編み終りの残余の一部のウエールとに続き、目増しのみのスペースを設け該目増しのみのスペースの最後コースと環状編地部の残余のウエールに続き、数コースの第２のリング部を有する第２の穿口開口縁を連続して配してなる、上下に第１第２の穿口開口縁を設けた靴下。
【請求項２】
踵部ポケット及び爪先部ポケットは共に、少なく共そのポケット内でコースの編成が進むにつれて最大の編幅から所定の最小編幅まで編幅を減じた第１の台形編地と、最小編幅からコースの編成が進むにつれ当初の編幅まで編幅を増大した第２の編地との２つの台形編地を連ねた形状をし、前記台形編地の各コース端で前記２つの台形編地の端部のウエールが一体に綴じ合わされ、かつポケット先端部には前記両台形編地間に爪先部ポケットにあっては爪先部編地が編み込まれ、踵部ポケットにあっては踵部編地が編込まれ袋状をなしている、請求項１記載の上下に第１第２の穿口開口縁を設けた靴下。
【請求項３】
爪先部ポケットの第２の台形編地にはその振り幅を増大し、第１のリング部の最終コースに綴じ合わされている増大編地を設けてなる請求項１記載の上下に第１第２の穿口開口縁を設けた靴下。
【請求項４】
第２の穿口開口縁には編み終りコースに続いてほつれ止め組織を編み込んでなる、請求項１記載の上下に第１第２の穿口開口縁を設けた靴下。
【請求項５】
丸編機により靴下を環状に編成する方法であって、第１の穿口開口縁に続いて、適宜コース数の第１のリング部を環状に編成した後、第１のリング部に続き所定ウエールを中心とし次第にその振り幅を減少する往復編成により、爪先部第１の台形の編地を編成し、最小編幅とした後に、逆に漸次編幅を増加し既編の爪先部第１の台形の編地のトラバース端部と綴じ合わせつつ所定コース数編成した後編幅両端部において編目を針に保持した状態で逐次編幅を減少して爪先部編地を編成し、爪先部編地の編成に続いて漸次編幅を増加し、既編の爪先部編地のトラバース端部及び爪先部第１の台形編地のトラバース端部とに綴じ合わせつつ爪先部第２の台形編地を往復編成し、次いで、上記爪先部第２の台形編地の最終コースに続いて、増大編地部分を編成し、引き続き環状に環状編部を適宜コース編成し、続いて、所定ウエールを中心とし次第にその振り幅を減少する往復編成により踵部第１の台形編地の編成にかかり、最小編幅とした後に、逆に漸次編幅を増加し既編の踵部第１の台形編地のトラバース端部と綴じ合わせつつ所定コース数編成した後、編幅両端部において編目を針に保持した状態で逐次編幅を減少して踵部編地を編成し、踵部編地の編成に続いて漸次編幅を増加し、既編の踵部編地のトラバース端部及び踵部第１の台形編地のトラバース端部とに綴じ合わせつつ踵部第２の台形編地を往復編成し、次いで、上記踵部第２の台形編地の最終コースに続いて前記環状編地の最終コースの間を往復する目増しのみのスペースを編成し、前記環状編地部と目増しのみのスペースの最終コースとに続いて環状に第２のリング部及び第２の穿口開口縁を環状に編成してなる上下に第１第２の穿口開口縁を設けた靴下の編成方法。
【請求項６】
増大編地部は、第１の台形編地のトラバース端部との綴じ合わせ編成が終了した後に、第１のリング部の爪先部第１の台形編地と接続した編成をしていないウエールを振り幅の端部として往復編成することで編成してなることを特徴とする請求項５記載の上下に穿口開口縁を設けた靴下の編成方法。
【請求項７】
環状に編成したほつれ防止部は、その最終コースの編み糸の端末周辺の数コース数ウエールに熱溶着繊維を添え編みすることを特徴とする請求項５記載の上下に穿口開口縁を設けた靴下の編成方法。
【発明の詳細な説明】
【０００１】
【発明の属する技術分野】
本発明は靴下、特にスニーカー，パンプス等の胛部が開いた靴を履く際に、その使用を窺知されることのない靴下及びその編成方法に関する。
【０００２】
【従来の技術】
従来靴下において、足首部のコース数を少なくし出来るだけ高さの低いものとし靴下を履いていないように見せることは行われているが、そのような短靴下でも、靴下の底部から穿口開口縁までの高さは一定であって、高さの異なる靴を履いたとき、例えばパンプス等の高さのない靴を履くと、靴下の穿口開口縁及びその周辺が靴の甲皮より上部に出て、見た目が良くないと感じられることがあった。然しながら、使用する靴の甲皮の高低に応じ着用時足底から穿口部までの高さを選択し着用できる靴下は知られていなかった。
【０００３】
また、靴下を履いていないように見せたいシーズンは高温高湿のときでもあり、足部全体を被う靴下では通気性を損ない蒸れを生ずることも普通であった。
【０００４】
【発明が解決しようとする課題】
本発明は上記の点に鑑みて、使用する靴の甲部の高さに応じて靴下の穿口開口縁の高さを高低任意に選択して使用することが出来、甲部の高さの低い靴を履いたときにも、着用している靴下が外部からは見られることがなく、また、通気性が良く着用時蒸れ感の生じない靴下を得ることを特徴とする。
【０００５】
【課題を解決するための手段】
請求項１記載の発明は、上下に第１第２の穿口開口縁を設けた靴下であって、環状に編成した第１の穿口開口縁に続いて適宜コース数を環状に編成してなる第１のリング部の編み終りのコースの一部ウエールに接して爪先部ポケットを配し、該爪先部ポケットの最終コースと前記第１のリング部の編み終りコースの残余のウエールとに続く環状の適宜コース数よりなる環状編地部を設け、環状編地部の編み終りコースの前記爪先部ポケットの反対側に該爪先部ポケットと１８０°位相をずらせて環状編地部の編み終りコースの一部ウエールと連なる踵部ポケットを設け、踵部ポケットの最終コースと前記環状編地部の編み終りの残余の一部のウエールとに続き、目増しのみのスペースを設け該目増しのみのスペースの最後コースと環状編地部の残余のウエールに続き、数コースの第２のリング部を有する第２の穿口開口縁を連続して配してなる。
請求項２記載の発明は、上下に第１第２の穿口開口縁を設けた靴下であって、踵部ポケット及び爪先部ポケットは共に、少なく共そのポケット内でコースの編成が進むにつれて最大の編幅から所定の最小編幅まで編幅を減じた第１の台形編地と、最小編幅からコースの編成が進むにつれ当初の編幅まで編幅を増大した第２の編地との２つの台形編地を連ねた形状をし、前記台形編地の各コース端で前記２つの台形編地の端部のウエールが一体に綴じ合わされ、かつポケット先端部には前記両台形編地間に爪先部ポケットにあっては爪先部編地が編み込まれ、踵部ポケットにあっては踵部編地が編込まれ袋状をなしている。
請求項３記載の発明は、請求項１記載の上下に第１第２の穿口開口縁を設けた靴下において爪先部ポケットの第２の台形編地にはその振り幅を増大し、第１のリング部の最終コースに綴じ合わされている増大編地を設けてなる。
請求項４記載の発明は、請求項１記載の上下に第１第２の穿口開口縁を設けた靴下であって、第２の穿口開口縁には編み終りコースに続いてほつれ止め組織を編み込んでなる。
請求項５記載の発明は上下に第１，第２の穿口開口縁を設けた丸編機により靴下を環状に編成する方法であって、第１の穿口開口縁に続いて、適宜コース数の第１のリング部を環状に編成した後、第１のリング部に続き所定ウエールを中心とし次第にその振り幅を減少する往復編成により、爪先部第１の台形の編地を編成し、最小編幅とした後に、逆に漸次編幅を増加し既編の爪先部第１の台形の編地のトラバース端部と綴じ合わせつつ所定コース数編成した後編幅両端部において編目を針に保持した状態で逐次編幅を減少して爪先部編地を編成し、爪先部編地の編成に続いて漸次編幅を増加し、既編の爪先部編地のトラバース端部及び爪先部第１の台形編地のトラバース端部とに綴じ合わせつつ爪先部第２の台形編地を往復編成し、次いで、上記爪先部第２の台形編地の最終コースに続いて、増大編地部分を編成し、引き続き環状に環状編部を適宜コース編成し、続いて、所定ウエールを中心とし次第にその振り幅を減少する往復編成により踵部第１の台形編地の編成にかかり、最小編幅とした後に、逆に漸次編幅を増加し既編の踵部第１の台形編地のトラバース端部と綴じ合わせつつ所定コース数編成した後、編幅両端部において編目を針に保持した状態で逐次編幅を減少して踵部編地を編成し、踵部編地の編成に続いて漸次編幅を増加し、既編の踵部編地のトラバース端部及び踵部第１の台形編地のトラバース端部とに綴じ合わせつつ踵部第２の台形編地を往復編成し、次いで、上記踵部第２の台形編地の最終コースに続いて前記環状編地の最終コースの間を往復する目増しのみのスペースを編成し、前記環状編地部と目増しのみのスペースの最終コースとに続いて環状に第２のリング部及び第２の穿口開口縁を環状に編成してなる上下に第１第２の穿口開口縁を設けた靴下の編成方法。
請求項６記載の発明は、上下に穿口開口縁を設けた靴下の編成方法であって、増大編地部は、第１の台形編地のトラバース端部との綴じ合わせ編成が終了した後に、第１のリング部の爪先部第１の台形編地と接続した編成をしていないウエールを振り幅の端部として往復編成することで編成してなる。
請求項７記載の発明は、上下に穿口開口縁を設けた靴下の編成方法であって、環状に編成したほつれ防止部は、その最終コースの編み糸の端末周辺の数コース数ウエールに熱溶着繊維を添え編みする。
【０００６】
【発明の実施の形態】
本発明靴下１を着用した状態を図１に示す。Ａは胛側から、Ｂは足底側から見た斜視図である。
本発明靴下１は、その一面（上側）に第１の穿口開口縁２を、他面（下側）に第２の穿口開口縁３をそれぞれ有し、靴下１の前半部に爪先部ポケット４を、靴下１の後半部に踵部ポケット５をそれぞれ設けてある。本発明靴下は上記の如く穿口開口縁２，３がそれぞれ靴下の上面及び下面に設けられており、いずれの穿口開口縁２，３に足を挿入するかは任意である。
【０００７】
本発明靴下は、丸編靴下編機で編成されるが、その編成に用いる糸は伸縮性の糸とし、着用時各人の足の形状に添って適宜伸張しフィットするようにしている。編成後の着用前の側面形状は図２に示す如く、上下に第１の穿口開口縁２と第２の穿口開口縁３とが位置し、その前後に、爪先部ポケット４と踵部ポケット部５とが位置している。
【０００８】
本発明靴下１の編成方法を図２，図３と共に説明する。図２は編成された靴下の側面視である。本発明靴下１は丸編靴下編機により第１の穿口開口縁２から編成を開始する。第１の穿口開口縁２の組織はゴム編よりなりウエル方向にゴム糸等を挿入し通常の靴下編成と同様にゴム編部から環状に編み始め適宜コース数編成の後、該コースを、編み始めコースにＵ字形に折り返し一体に綴じることにより穿口開口縁２を断面逆Ｕ字形の二重の編地とする。
【０００９】
穿口開口縁２に引き続いて環状に第１のリング部１１を編成する。第１のリング部１１の編成コース数及び後述する環状編地部１２の編成により本発明靴下の使用時の第２の穿口開口縁３から第１の穿口開口縁２までの高さの大小を適宜に決定することが出来る。コース数が多ければその分靴下の第１の穿口開口縁２から後述する第２の穿口開口縁３までの深さが大となり、また穿口開口縁２の前端縁から爪先までの長さＬａが大となり、ややもすると、靴下の靴内への隠蔽が損なわれることにもなるのでコース数が多過ぎるのは好ましくない。
【００１０】
所定コース数の第１のリング部１１の編成が終了した後に第１のリング部１１に続き所定ウエールＡを中心とし次第にその振り幅を減少する往復編成により、爪先部第１の台形の編地１３を編成し、最小編幅とした後に、逆に漸次編幅を増加し既編の爪先部第１の台形の編地１３のトラバース端部と綴じ合わせゴアラインＧ１を形成しつつ所定コース数編成し最大編幅とした後、編幅両端部において編目を針に保持した状態で逐次編幅を減少して側面視３角形状（展開時菱形）の爪先部編地１４を編成しする。爪先部編地１４の編成に続いて漸次編幅を増加し、既編の爪先部編地１４のトラバース端部に綴じ合わせることでゴアラインＧ２を形成し、爪先部第１の台形編地１３のトラバース端部とに綴じ合わせることでゴアラインＧ３を形成しつつ爪先部第２の台形編地１５を往復編成する。上記爪先部第１の台形編地１３，爪先部編地１４，爪先部第２の台形編地１５によって爪先部ポケット４が作られる。
【００１１】
次いで、上記爪先部第２の台形編地１５の最終コースに続いて、増大編地部１７を編成する。増大編地部１７は、爪先部第２の台形編地１５と爪先部第１の台形編地１３のトラバース端部との綴じ合わせ編成がゴアラインＧ３を作って終了した後に、第１のリング部１１の爪先部第１の台形編地１３と接続した編成をしていない最端のウエールを振り幅の端部として往復編成することでゴアラインＧ４を形成して台形に編成してなるもので、増大編地部１７により靴下フィットサイズを伸ばす目的で構成される。
引き続き環状に環状編地部１２を適宜コース編成するが、環状編地部１２の最初のコースは前記増大編地部１７と第１のリング部１１の最終コースに編み掛けられている。
【００１２】
続いて、環状編地部１２に続いて踵部第１の台形編地１８，踵部編地１９，踵部第２の台形編地２０により踵部ポケット５を編成する。爪先部ポケット４の中心となるウエールＡの対称位置にあるウエールＣを中心とし次第にその振り幅を減少する往復編成により踵部第１の台形編地１８の編成にかかり、最小編幅とし台形編地１８の編成を終了する。次いで、逆に漸次編幅を増加し既編の踵部第１の台形編地１８のトラバース端部と綴じ合わせゴアラインＧ５を形成しつつ所定コース数編成し最大編幅とした後、編幅両端部において編目を針に保持した状態で逐次編幅を減少して踵部編地１９を編成し、踵部編地１９の編成に続いて漸次編幅を増加し、既編の踵部編地１９のトラバース端部及び踵部第１の台形編地１８のトラバース端部とに綴じ合わせゴアラインＧ６，Ｇ７を形成しつつ踵部第２の台形編地２０を往復編成することで踵部ポケット５を作る。
【００１３】
次いで、上記踵部第２の台形編地２０の最終コースに続いて前記環状編地部１２の最終コースの間を往復する目増しのみのスペース２１を編成し、前記環状編地部１２と目増しのみのスペース２１の最終コースとに編掛けて環状に第２のリング部２２及び第２の穿口開口縁３を環状に編成する。前記目増しのみのスペース２１は編成コース数を多くすればその分環状の第２の穿口開口縁３が爪先側に寄ることになり、穿口開口縁３を下位にして着用したときに足底の土踏まずの位置に第２の穿口開口部２を位置させ、通気性を高めることも行なえる。
【００１４】
前記第２の穿口開口縁３は第１の穿口開口縁２と同様に袋状に編成し、続いてほつれ止め組織を編成する。ほつれ止め組織は、特に伸縮性に優れた素材を使用し、ほつれ編み目のランを防止している。また、最終コースを含む数コース，数ウエールに熱融着性繊維糸を添え編みしプレスオフする。熱融着性繊維糸は、編み上げ後セット時に周囲の糸に融着することで編地端末糸のほつれを防止している。
【００１５】
本発明靴下の各部構成において第１のリング部１１，第２のリング部２２，環状編地部１２，ほつれ止組織は平編組織で編成するのが最も能率が良いが、特に平編組織に限定することはなく適宜タック地等として通気性を増大し或いはパイル組織として保温性，耐衝撃性を高めることも可能である。
【００１６】
本発明靴下は、爪先部ポケット４で足の爪先部分を被い踵部ポケット５で踵を包むように着用するが、第１の穿口開口縁２が足首に当たるように着用すると靴下が靴の甲皮にかくれ靴下の着用が目立たなく、逆に第２の穿口開口縁から足を挿入すると足部は上位まで編地で被われることになる。
【００１７】
着用時、編地は十分に伸張され第１，第２の穿口開口縁は大きく開き爪先部ポケット４，踵部ポケット５は、環状編地１２により互いに引かれるようになりこのときの第１，第２の穿口開口部２，３の間隔は環状編地１２の幅に主として左右されるため靴下全体が細長く高さのない極めて細いものとなっており、これによっても第１，第２の穿口開口縁２，３の開口の程度は大きくなる。
【００１８】
【発明の効果】
本発明靴下は下記の各効果を有する。
爪先部ポケットと踵部ポケットを連結している状態の環状編地部のコース数を適宜に変更することにより着用時の靴下の穿口開口縁の高さを変化させ得る。また、目増しのみのスペースのコース数を増し幅を増加させることで第２の穿口開口縁を爪先寄りに変位させることが出来るため、第２の穿口開口縁を底部中央に位置させ、土踏まず部分の通気性を高め着用時蒸れがこもることがなく、蒸れ感を受けることがない。
【００１９】
目増しのみのスペースと環状編地部とで第２の穿口開口縁が囲われているために、第２の穿口開口縁に足首を通した際に足胛部の囲われる分が多く第１の穿口開口縁に足首を通した際に足胛部が多く現れる。
【図面の簡単な説明】
【図１】本発明靴下の着用状態を示すもので、Ａは上方より見た斜視図、Ｂは底部より見た斜視図。
【図２】本発明靴下の編成過程を示す側面視の模式図。
【図３】Ａは本発明靴下の編成過程を示す展開図、Ｂは靴下の第１の穿口開口縁を上部より見た概略平面図。
【符号の説明】
１  靴下
２  第１の穿口開口縁
３  第２の穿口開口縁
４  爪先部ポケット
５  踵部ポケット
１１  第１のリング部
１２  環状編地
１３  爪先部の第１の台形編地
１４  爪先部の編地
１５  爪先部第２の台形編地
１７  増大編地部
１８  踵部第１の台形編地
１９  踵部編地
２０  踵部第２の台形編地
２１  目増しのみのスペース
２２  第２のリング部
【図１】
0003700147.tif 000002
【図２】
0003700147.tif 000003
【図３】
0003700147.tif 000004